(57)【要約】【課題】小型で効率のよいアスベストスラリー脱水用の絞り機を提供する。【解決手段】本考案によるアスベストスラリー脱水用の絞り機は、アスベストを含むスラリーが投入されるホッパと、ホッパ内に設けられ、ギアードモータで回転され、底部のスラリーを外部に搬送するスクリューフィーダと、スクリューフィーダが挿入され、筒状の外周面からスラリーの水分を通過させ、脱水されたスラリーを長手方向の一端側から排出する打抜金網製のシリンダと、ばねでシリンダの一端側を閉じる方向に付勢され、脱水されたスラリーのスクリューフィーダによる搬送力で押し戻される予圧駒と、シリンダで絞り出されたスラリーの水分を吐き出す排水口と、予圧駒と前記シリンダの隙間から押し出されたスラリーを吐き出す排出口と、を備える。【選択図】図１
0003137723.tif 000002
【実用新案登録請求の範囲】
【請求項１】
アスベストを含むスラリーが投入されるホッパと、
前記ホッパ内に設けられ、ギアードモータで回転され、底部のスラリーを外部に搬送するスクリューフィーダと、
前記スクリューフィーダが挿入され、筒状の外周面からスラリーの水分を通過させ、脱水されたスラリーを長手方向の一端側から排出する打抜金網製のシリンダと、
ばねで前記シリンダの一端側を閉じる方向に付勢され、脱水されたスラリーの前記スクリューフィーダによる搬送力で押し戻される予圧駒と、
前記シリンダで絞り出されたスラリーの水分を吐き出す排水口と、
前記予圧駒と前記シリンダの隙間から押し出されたスラリーを吐き出す排出口と、を備えることを特徴とするアスベストスラリー脱水用の絞り機。
【請求項２】
前記ばねと前記予圧駒を支持するボルトが設けられ、前記ボルトに設けられたナットを回すことで、前記ばねの前記予圧駒への付勢力が調整されることを特徴とする請求項１に記載のアスベストスラリー脱水用の絞り機。
【考案の詳細な説明】
【技術分野】
【０００１】
本考案は、絞り機に係り、より詳細には、建物の解体時に天井、壁などに含まれるアスベスト材を除去して無害化する装置に組み込まれるアスベストスラリー脱水用の絞り機に関する。
【背景技術】
【０００２】
アスベストは、石綿とも呼ばれ、クリソタイル（白石綿）、アモサイト（茶石綿）、クロシドライト（青石綿）の種類があり、建築物の耐火被覆材、断熱材として床、壁、天井などに使用されてきた。このような建物の解体では、アスベストの粉塵が外部に飛散しないようにしたアスベストの除去が求められる。一般には、作業現場をプラスチックシートで完全密閉した管理区域を設け、高性能の集塵機で内部を負圧とした後、除去作業を行う。まず、対象となる壁や天井に粉塵を抑えるための特殊な溶剤を塗布し、剥離装置で壁や天井などを粉砕して専用の２重袋に袋詰めされる。これを専用の処理場まで運び、高温炉での償却処分や埋立て処分にする。
【０００３】
一方、建造物の解体現場でアスベストを直接無害化する試みも行われている。まず、壁や天井を粉砕し粉砕片を集める場合、粉塵も含めて吸引し水槽を通過させることでアスベスト粉塵が飛散しないようにする。次に水槽の底に沈殿した沈殿物（スラリー）を高温の炉で溶融し無害化するものである。１２００〜１７００℃の高温溶融炉で石綿を溶融し無害化する。水分を多量に含むスラリーを溶融炉に投入すると、水が気体となって膨張し危険なので、スラリーは脱水機に通され、脱水されたスラリーが溶融炉に投入される。
【０００４】
図２は、従来の一般的な脱水機の例である。脱水機５０は、脱水ローラ４０ａ、４０ｂと、濾布ベルト４２、ベルト送りローラ４１ａ〜４１ｄからなる。アスベストのスラリー１０は、濾布ベルト４２の上に投入され、脱水ローラ４０ａとベルト送りローラ４１ｂおよび脱水ローラ４０ｂとベルト送りローラ４１ｃで２度にわたって絞られて脱水される。脱水された水分１１は、落下して回収される。このような、脱水機は一般的ではあるが、装置が大型化して、限られた解体現場での設置が困難となる問題があった。なお、特許文献１には、ベルト式脱水機が示されている。特許文献２には、スクリューコンベヤが示されている。
【特許文献１】実開平６−１５７０６号公報
【特許文献２】実開平５−６５９２５号公報
【考案の開示】
【考案が解決しようとする課題】
【０００５】
本考案の目的は、小型で効率のよいアスベストスラリー脱水用の絞り機を提供することにある。
【課題を解決するための手段】
【０００６】
上記の目的を達成するため、本考案による請求項１記載のアスベストスラリー脱水用の絞り機は、アスベストを含むスラリーが投入されるホッパと、前記ホッパ内に設けられ、ギアードモータで回転され、底部のスラリーを外部に搬送するスクリューフィーダと、前記スクリューフィーダが挿入され、筒状の外周面からスラリーの水分を通過させ、脱水されたスラリーを長手方向の一端側から排出する打抜金網製のシリンダと、ばねで前記シリンダの一端側を閉じる方向に付勢され、脱水されたスラリーの前記スクリューフィーダによる搬送力で押し戻される予圧駒と、前記シリンダで絞り出されたスラリーの水分を吐き出す排水口と、前記予圧駒と前記シリンダの隙間から押し出されたスラリーを吐き出す排出口と、を備えることを特徴とする。
【０００７】
本考案による請求項２は、前記ばねと前記予圧駒を支持するボルトが設けられ、前記ボルトに設けられたナットを回すことで、前記ばねの前記予圧駒への付勢力が調整されることを特徴とする。
【考案の効果】
【０００８】
本考案による請求項１のアスベストスラリー脱水用の絞り機によれば、スラリーを搬送するスクリューフィーダを打抜金網製のシリンダに挿入し、打抜金網の孔から水分を抜くとともに、スラリーが押し出される側のシリンダ端にばねで付勢した予圧駒を設けたので、シリンダ内のスラリーが圧縮され十分に脱水できる。スラリーが脱水されスクリューフィーダの搬送力で予圧駒を押し戻せば、その隙間からスラリーが押し出されて排出される。すなわち、予圧駒の付勢力でスラリーの脱水具合が調節できる。脱水機としてのベルトやローラが不要で、スクリューフィーダ部の搬送力を利用した脱水構造としたので、装置が小型化できる。
【０００９】
本考案の請求項２によれば、ばねの付勢力がナットを回すことで調整できる。固形成分が多くあまり絞る必要がない場合は付勢力を弱くし、水分の多い柔らかい粉体の場合では強くするなど使い分けすることができる。
【考案を実施するための最良の形態】
【００１０】
以下、図面を参照して本考案によるアスベストスラリー脱水用の絞り機について説明する。
【実施例１】
【００１１】
図１は、本考案によるアスベストスラリー脱水用の絞り機の側面断面図である。絞り機１００は、アスベストを含むスラリー１０が投入されるホッパ１と、ホッパ１内に設けられ、ギアードモータ３で回転され、底部のスラリー１０を搬送するスクリューフィーダ２と、スクリューフィーダ２が挿入され、筒状の外周面からスラリーの水分を通過させ、脱水されたスラリー１０を長手方向の一端側から排出する打抜金網製のシリンダ７と、ばね５でシリンダ７の一端側を閉じる方向に付勢され、脱水されたスラリーのスクリューフィーダ２による搬送力で押し戻される予圧駒４と、シリンダ７で絞り出されたスラリー１０の水分を吐き出す排水口８と、予圧駒４とシリンダ７の隙間から押し出されたスラリー１０を吐き出す排出口９と、を備える。
【００１２】
スラリー１０は、建造物のアスベストを含む壁材などが粉砕され、吸引され、飛散しないように水に沈降させた泥状の沈殿物である。これをスクリューフィーダ２で送り出す。ギアードモータ３は、一例として消費電力が７５０ｗ、ギアー比が１／１２０、回転数が１２．５ｒｐｍの低速のものを使用した。スクリューフィーダ２の直径は１００ｍｍである。シリンダ７は、ステンレス製の打抜金網（パンチングメタル）であり、板厚は１．５ｍｍである。打ち抜かれた小孔の直径は１．５ｍｍで、小孔の上下左右方向のピッチは３．２ｍｍのものを使用した。ホッパ１の基部から伸びるボルト１２が、予圧駒４の貫通孔を貫通し、予圧駒４を押すばね５に通され、ナット１３がばね５を押さえるように設けられる。そのため、予圧駒４は、最初は、ばね５の付勢力でシリンダ７の一端側を閉じている。なお、本実施例の絞り機１００は、図１において左右の幅が約１２００ｍｍ、高さが約７００ｍｍ、奥行きが４００ｍｍと小型である。ローラ式の脱水装置を設けた場合の約半分の大きさにできる。
【００１３】
スラリー１０は、スクリューフィーダ２でシリンダ７内に送り込まれ、スラリー１０に含まれる水分１１は、絞られてシリンダ７の外周面の小孔から落下する。落下した水分１１は排水口８に集められる。排水口８からの排水は、専用の浄水装置に送られ、高性能フィルターにかけられて浄化される。スラリー１０は、シリンダ７の予圧駒４側に集まるが、最初は流動性が高く、予圧駒４を押し戻すには至らない。スラリー１０は、脱水が進むと、スクリューフィーダ２の搬送力で押圧され、ばね５を押し戻して、隙間から排出口９に向けて押し出される。排出口９を出たスラリー１０は、アスベスト溶融炉に送られ無害化される。本実施例では、スラリー１０の約８０％の水を脱水できる。なお、本実施例では、予圧駒４を２つのばね５で押さえ、前後に動くようにしたが、ばねで閉じるように付勢したヒンジ付きの扉を有する開閉機構を採用してもよい。
【産業上の利用可能性】
【００１４】
本考案によるアスベストスラリー脱水用の絞り機は、小型であるから解体現場でアスベスト材を除去して無害化する一連の装置の１つとして好適である。また、アスベスト処理用に限らず、他の有害物質スラリーの絞り機としても好適である。
【図面の簡単な説明】
【００１５】
【図１】本考案によるアスベストスラリー脱水用の絞り機の側面断面図である。（実施例１）
【図２】従来の脱水機の断面図である。
【符号の説明】
【００１６】
１    ホッパ
２    スクリューフィーダ
３    ギアードモータ
４    予圧駒
５    ばね
７    内抜金網製のシリンダ
８    排水口
９    排出口
１０    スラリー
１１    水分
１２    ボルト
１３    ナット
４０ａ、４０ｂ    脱水ローラ
４１ａ、４１ｂ、４１ｃ、４１ｄ    ベルト送りローラ
４２    濾布ベルト
５０    脱水機
１００    絞り機
【図１】
0003137723.tif 000003
【図２】
0003137723.tif 000004